(57)【特許請求の範囲】
【請求項１】
コネクタの自動引き込み機能を備える携帯型のコネクタユニットであって、
一端に開口部が設けられ、前記開口部と接続する収容空間が形成されているハウジングと、
前記収容空間の内部に収容され、前記開口部に対応する一端にコネクタが設けられ、他端の近傍に係止壁、案内壁、および復位壁を有するスロットが形成され、前記係止壁の一端と前記案内壁の一端とがつながり、前記係止壁の他端と前記復位壁の一端とがつながり、前記案内壁の他端と前記復位壁の他端とがつながるコアユニットと、
前記ハウジングおよび前記コアユニットに付勢力を作用し、前記コアユニットを前記ハウジングの前記開口部とは反対側の端部に付勢する弾性部材と、
前記ハウジングの内部に回転可能に設けられ、一端にピン部材が設けられ、前記ピン部材が移動自在に前記スロットの内部に嵌め込まれている回転棒体と、を備え、
前記コアユニットが前記ハウジングの前記開口部側に移動し、前記コネクタが前記開口部の外部に押し出されるとき、前記ピン部材が前記案内壁に沿って移動し前記係止壁に移動して前記係止壁の位置に係止されることで、前記コネクタは前記ハウジングの外部に位置するよう固定され、
前記コネクタが引っ張られ前記ハウジングの前記開口部側に移動するとき、前記ピン部材が前記係止壁での係止が解除され前記復位壁に沿って前記案内壁の位置に移動し、前記弾性部材が前記ハウジングの前記開口部とは反対側に前記コアユニットを付勢することで、前記コネクタは前記ハウジングの内部に収容されることを特徴とするコネクタユニット。
【請求項２】
前記コアユニットは、電気回路板およびパレットから構成され、
前記コネクタは、前記電気回路板の前記開口部側に取り付けられ、前記スロットは前記パレットの前記開口部とは反対側の近傍に設けられることを特徴とする請求項１記載のコネクタユニット。
【請求項３】
前記回転棒体の一部は、前記ハウジングの外部に露出され、始動部を形成することを特徴とする請求項２記載のコネクタユニット。
【請求項４】
押し込み部材をさらに備え、
前記押し込み部材は、一端が前記ハウジングの外部に露出され、他端が前記コアユニットに当接し、前記コアユニットを押し込み前記ハウジングの前記開口部側に移動させることを特徴とする請求項２記載のコネクタユニット。
【請求項５】
前記弾性部材の両端は、前記ハウジングの内部および前記コアユニットの前記開口部側の端部に当接していることを特徴とする請求項３記載のコネクタユニット。
【請求項６】
前記弾性部材の両端は、前記ハウジングの内部および前記コアユニットの前記開口部とは反対側の端部に当接していることを特徴とする請求項３記載のコネクタユニット。
【請求項７】
コネクタの自動引き込み機能を備える携帯型のコネクタユニットであって、
一端に開口部が設けられ、前記開口部と接続する収容空間が形成され、他端の近傍に係止壁、案内壁、復位壁を有するスロットが形成され、前記係止壁の一端と前記案内壁の一端とがつながり、前記係止壁の他端と前記復位壁の一端とがつながり、前記案内壁の他端と前記復位壁の他端とがつながるハウジングと、
前記収容空間の内部に収容され、前記開口部に対応する一端にコネクタが設けられているコアユニットと、
前記ハウジングおよび前記コアユニットに付勢力を作用し、前記コアユニットを前記ハウジングの前記開口部とは反対側の端部に付勢する弾性部材と、
前記コアユニットに回転可能に設けられ、一端にピン部材が設けられ、前記ピン部材が移動自在に前記スロットの内部に嵌め込まれている回転棒体と、を備え、
前記コアユニットが前記ハウジングの前記開口部側に移動し、前記コネクタが前記開口部の外部に押し出されるとき、前記ピン部材が前記案内壁に沿って移動し前記係止壁に移動して前記係止壁の位置に係止されることで、前記コネクタは前記ハウジングの外部に位置するよう固定され、
前記コネクタが引っ張られ前記ハウジングの前記開口部側に移動するとき、前記ピン部材が前記係止壁での係止が解除され前記復位壁に沿って前記案内壁の位置に移動し、前記弾性部材が前記ハウジングの前記開口部とは反対側に前記コアユニットを付勢することで、前記コネクタは前記ハウジングの内部に収容されることを特徴とするコネクタユニット。
【請求項８】
押し込み部材をさらに備え、
前記押し込み部材は、一端が前記ハウジングの外部に露出され、他端が前記コアユニットに当接し、前記コアユニットを押し込み前記ハウジングの前記開口部側に移動させることを特徴とする請求項７記載のコネクタユニット。
【請求項９】
前記コアユニットは、電気回路板およびパレットから構成され、
前記コネクタは、前記電気回路板の前記開口部側に取り付けられ、前記回転棒体は前記パレットの前記開口部とは反対側の近傍に回転可能に設けられていることを特徴とする請求項８記載のコネクタユニット。
【請求項１０】
前記弾性部材の両端部は、前記ハウジングの内部および前記コアユニットの前記開口部側の端部に当接していることを特徴とする請求項９記載のコネクタユニット。
【請求項１１】
前記弾性部材の両端部は、前記ハウジングの内部および前記コアユニットの前記開口部とは反対側の部端に当接していることを特徴とする請求項９記載のコネクタユニット。
【発明の詳細な説明】
【技術分野】
【０００１】
本発明はコネクタユニットに関し、詳しくはコネクタの自動引き込み機能を有する携帯型のコネクタユニットに関する。
【背景技術】
【０００２】
現在、市場には、ブルートゥース（登録商標）、ＵＳＢメモリ、カードリーダー、ＷｉＦｉアダプタなど、携帯型のコネクタユニットが販売されている。これらの携帯型のコネクタユニットは、体積が小さいため、ポケット内に納められる。携帯型のコネクタユニットは、ハウジング内にコアユニット（ｃｏｒｅ  ｅｌｅｍｅｎｔ）が内設されている。コアユニットは、主に電子回路板およびコネクタを有し、電子回路板はフラッシューメモリモジュールまたは無線通信モジュールなどを有する。なお、コネクタは、ＦｉｒｅＷｉｒｅ（登録商標）、外付け用のＳｅｒｉａｌ  ＡＴＡポート（Ｅｘｔｅｒｎａｌ  Ｓｅｒｉａｌ  ＡＴＡ，  ｅＳＡＴＡ）およびユニバーサルシリアルバス（Ｕｎｉｖｅｒｓａｌ  Ｓｅｒｉａｌ  Ｂｕｓ，  ＵＳＢ）などのタイプがある。コネクタは、電子機器（ノートパソコン、デジタルフォトフレームなど）のソケットに差し込まれ、携帯型のコネクタユニットと電子端末装置とを接続し、データ伝送を行う。
【０００３】
また、多くの製造業者は、携帯型のコネクタユニットを伸縮式にする。このような携帯型のコネクタユニットは、コアユニットがハウジングの内部に収容可能に構成されている。よって、携帯型のコネクタユニットを使用しないときは、コアユニットをハウジングの内部に収容することができ、コアユニットが保護され、損傷することを防止することができる。また、携帯型のコネクタユニットを使用しないとき、コアユニットを容易にハウジング内部に収容することができる。
【先行技術文献】
【特許文献】
【０００４】
【特許文献１】特開２００９−２６６４１１号公報
【発明の概要】
【発明が解決しようとする課題】
【０００５】
しかし、従来の携帯型のコネクタユニットには多くの欠点が存在している。図１、２に示すように、携帯型のコネクタユニットは、コアユニット１１および蓋体１２を備える。コアユニット１１の電気回路板１１１には複数の電気端子１１１ａが設けられ、電子機器との接続に用いられる。電気回路板１１１はパレット１１２と一体に形成され、パレット１１２には固定ピン１１３および２つの伸縮ばね１１４が設けられている。固定ピン１１３は金属により形成され、一端が屈折して固定部１１３ａを形成する。各伸縮ばね１１４の両端はそれぞれパレット１１２および蓋体１２に当接している。コアユニット１１は蓋体１２に対して前後移動可能に蓋体１に２組付けられている。コアユニット１１と蓋体１２とが一体に組み合わされたとき、固定ピン１１３の固定部１１３ａは移動可能に、蓋体１２の一側に設けられたスロットＴの内部に収容される。スロットＴは、略ハート形に形成され、コアユニット１１が蓋体１２に対して前後移動する際に、スロットＴとは異なる位置に固定部１１３ａを固定する。
【０００６】
固定ピン１１３とスロットＴとを組み合わせる技術は当技術分野の公知技術であり、その作動関係については説明を省略する。上記の構成の場合、固定ピン１１３が抜ける問題、または、固定ピン１１３がひっかかる問題が発生する。また、固定ピン１１３によって、スロットＴの内壁が傷つけられる問題が発生する。また、部品点数が多いため、組み付け工程の時間コストが高くなり、組付け後の製品の累積誤差が高まる。
本発明は、上記問題に鏡みてなされたものであり、その目的は、組付けの時間コストおよび完成製品の累積誤差を低減し、コンパクトな構造を有するコネクタユニットを提供することにある。
【課題を解決するための手段】
【０００７】
本発明の請求項１に係るコネクタユニットは、ハウジング、コアユニット、弾性部材、および回転棒体を備える。ハウジングは、一端に開口部が設けられ、開口部と接続する収容空間が形成されている。コアユニットは、収容空間の内部に収容され、開口部に対応する一端端にコネクタが設けられ、他端の近傍に係止壁、案内壁、および復位壁を有するスロットが形成されている。係止壁の一端と案内壁の一端とがつながり、係止壁の他端と復位壁の一端とがつながり、案内壁の他端と復位壁の他端端とがつながる。ここで、「つながる」ということは、「直接につながっていること」のみではなく、「別の部材を介して間接につながっていること」という意味も含む。
弾性部材は、ハウジングおよびコアユニットに付勢力を作用し、コアユニットをハウジングの開口部とは反対側の端部に付勢する。回転棒体は、ハウジングの内部に回転可能に設けられ、一端にピン部材が設けられ、ピン部材が移動自在にスロットの内部に嵌め込まれている。
コアユニットがハウジングの開口部側に移動し、コネクタが開口部の外部に押し出されたとき、ピン部材が案内壁に沿って移動し、ピン部材が前記係止壁に移動され、ピン部材が係止壁の位置に係止され、コネクタが開口部の外部に固定される。
コネクタが引っ張られハウジングの開口部側に移動するとき、ピン部材が係止壁から離脱して復位壁に沿って案内壁の位置に移動され、コアユニットが弾性部材によってハウジングの開口部とは反対側に押され、コネクタがハウジングの内部に収容される
【０００８】
本発明の請求項７に係る発明は、ハウジング、コアユニット、弾性部材、および回転棒体を備える。ハウジングは、一端に開口部が設けられ、開口部と接続する収容空間が形成され、他端の近傍に係止壁、案内壁、復位壁を有するスロットが形成されている。係止壁の一端と案内壁の一端とがつながり、係止壁の他端と復位壁の一端とがつながり、案内壁の他端と復位壁の他端とがつながっている。
【０００９】
コアユニットは、収容空間の内部に収容され、開口部に対応する一端にコネクタが設けられている。
弾性部材は、ハウジングおよびコアユニットに付勢力を作用し、コアユニットをハウジングの開口部とは反対側の端部に付勢する。
回転棒体は、コアユニットに回転可能に設けられ、一端にピン部材が設けられ、ピン部材が移動自在にスロットの内部に嵌め込まれている。
コアユニットがハウジングの開口部側に移動し、コネクタが開口部の外部に押し出されたとき、ピン部材が案内壁に沿って移動し、ピン部材が係止壁に移動され、ピン部材が係止壁の位置に係止され、コネクタが開口部の外部に固定される。
コネクタが引っ張られハウジングの開口部側に移動するとき、ピン部材が係止壁から離脱して復位壁に沿って案内壁の位置に移動され、コアユニットが弾性部材によってハウジングの開口部とは反対側に押され、コネクタがハウジングの内部に収容される。
【００１０】
これにより、コアユニットを簡単かつ容易にハウジングの外部に固定することができ、コアユニットを自動的にハウジングの内部に収容することができるため、コンパクトな構造を有し使用の利便性を大幅に向上することができる。また、組付けの時間コストおよび完成製品の累積誤差を低減することができる。
【図面の簡単な説明】
【００１１】
【図１】従来のコネクタユニットの分解斜視図。
【図２】従来のコネクタユニットの平面図。
【図３】本発明の第１実施形態によるコネクタユニットの分解斜視図。
【図４】本発明の第１実施形態によるコネクタユニットの平面図である。
【図５】本発明の第１実施形態によるコネクタユニットの要部拡大図である。
【図６Ａ】本発明の第１実施形態によるコネクタユニットの作動状態を示す模式図である。
【図６Ｂ】本発明の第１実施形態によるコネクタユニットの作動状態を示す模式図である。
【図６Ｃ】本発明の第１実施形態によるコネクタユニットの作動状態を示す模式図である。
【図６Ｄ】本発明の第１実施形態によるコネクタユニットの作動状態を示す模式図である。
【図７Ａ】本発明の第１実施形態によるコネクタユニットの作動状態を示す模式図である。
【図７Ｂ】本発明の第１実施形態によるコネクタユニットの作動状態を示す模式図である。
【図７Ｃ】本発明の第１実施形態によるコネクタユニットの作動状態を示す模式図である。
【図７Ｄ】本発明の第１実施形態によるコネクタユニットの作動状態を示す模式図である。
【図８】本発明の第２実施形態によるコネクタユニットを示す模式図である。
【図９】本発明の第３実施形態によるコネクタユニットの作動状態を示す模式図である。
【図１０】本発明の第３実施形態によるコネクタユニットの作動状態を示す模式図である。
【図１１】本発明の第３実施形態によるコネクタユニットの作動状態を示す模式図である。
【図１２】本発明の第３実施形態によるコネクタユニットを示す模式図である。
【図１３】本発明の第４実施形態によるコネクタユニットを示す模式図である。
【図１４】本発明の第４実施形態によるコネクタユニットの要部拡大図である。
【発明を実施するための形態】
【００１２】
本発明の実施形態を図面に基づいて説明する。
（第１実施形態）
本発明の第１実施形態によるコネクタユニットを図３に示す。図３に示すように、コネクタユニット２は、ハウジング２１、コアユニット２２、弾性部材２３、および回転棒体２４を備える。ハウジング２１は、上部ハウジンブ２１ａおよび下部ハウジング２１ｂから形成され、上部ハウジンブ２１ａと下部ハウジング２１ｂとの間に収容空間２１２を有する。ハウジング２１の先端には収容空間２１２に連通する開口部２１１が設けられている。ここで、ハウジング２１の開口部２１１側を「前側」とし、ハウジング２１の開口部２１１との反対側を「後側」とする。コアユニット２２（たとえば、電気回路板）は収容空間２１２に移動可能に収容され、ハウジング２１の縦方向に沿って前後移動することができる。本実施形態では、コアユニット２２は、電気回路板２２１およびパレット２２２から形成されている。電気回路板２２１の前側の端部はコネクタ２２１ａが設けられ、パレット２２２の後側の端部の近傍にはスロット２２２ａが設けられている。
【００１３】
ただし、コアユニット２２の構造はこれに限れない。例えば、直接に独立した個体としてパッケージした後、スロット２２２ａを直接にコアユニット２２の後側の端部近傍の位置に設けることとしても良い。図４に示すように、コネクタ２２１ａは開口部２１１に対向し、コアユニット２２がハウジング２１の前側に向かって移動するとき、コネクタ２２１ａが開口部２１１よりハウジング２１の外部に突き出す。コネクタユニット２はコネクタ２２１ａを介して、電子機器（図示しない）と電気的に接続し、データを伝送することができる。
【００１４】
さらに、図５に示すように、スロット２２２ａは、係止壁Ａ、案内壁Ｂ、および復位壁Ｃを有する。係止壁Ａの一端と案内壁Ｂの一端とがつながり、係止壁Ａの他端と復位壁Ｃの一端とがつながる。案内壁Ｂの他端と復位壁Ｃの他端とがつながっている。本実施形態では、スロット２２２ａは開放状のスロットを形成し、復位壁Ｃの他端は係止壁Ａと離間する位置に位置し外部に連通する。また、復位壁Ｃの他端と案内壁Ｂとを接続させ、スロット２２２ａを密閉状のスロットに形成することとしても良い。業者はニーズに基づいて、細部の特徴を自由に変化させることができる。
【００１５】
図４に示すように、本実施形態では、弾性部材２３の両端部はそれぞれハウジング２１の内部とコアユニット２２の前側の端部に当接し、コアユニット２２がハウジング２１の縦方向に沿ってハウジング２１の前側の端部に向かって移動するとき、弾性部材２３は圧縮されて変形する。このとき、弾性部材２３が発生する付勢力はハウジング２１およびコアユニット２２に作用し、コアユニット２２をハウジング２１の後側の端部に移動させる。ただし、弾性部材２３、ハウジング２１、およびコアユニット２２の結合関係はこれに限らない。
【００１６】
（第２実施形態）
本発明の第２実施形態によるコネクタユニットを図８に示す。図８に示すように、本発明による第２実施形態では、コネクタユニット３の弾性部材３３の両端部は、それぞれハウジング３１の内部およびコアユニット３２の後側の端部に当接している。コアユニット３２は、回転棒体３４の押し込みによって、ハウジング３１の前側の端部に移動する。このとき、コネクタ３２１ａは、開口部３１１の外部に押し出される。弾性部材３３の両端部は、互いに分離して、弾性部材３３の変形を引き起す。このとき、弾性部材３３が発生する弾性復元力はハウジング３１およびコアユニット３２に作用する。コアユニット３２は引っ張られ、ハウジング３１の縦方向に沿って、ハウジング３１の後側の端部に向かって移動する。なお、弾性部材３３の設計を色々に変化しても良い。
【００１７】
図３に示すように、回転棒体２４はハウジング２１に内設されている。回転棒体２４は、一端にピン部材２４１が設けられ、ピン部材２４１が移動自在にてスロット２２２ａの内部に噛み合わせられている。上記第１実施形態では、ハウジング２１の後側の端部の近傍の位置に枢接棒２１３を設けられ、回転棒体２４の他端の近傍の位置に枢設穴２４２が形成されている。回転棒体２４は、枢設穴２４２と枢接棒２１３との結合によって、ハウジング２１の後側の端部の近傍の位置に回転可能に接続される。ただし、結合方式はこの限りでない。回転棒体２４の他端の近傍の位置に枢接棒を設け、ハウジング２１の後側の端部の近傍の位置に枢設穴を形成する方法でも同等の効果を達成することができる。このほか、好ましい第１実施形態において、回転棒体２４の他端は、ハウジング２１の外部に露出し、使用者が直接に回転棒体２４の他端を回して回転棒体２４を回すこととしても良い。
【００１８】
（第３実施形態）
本発明の第３実施形態を図９、１０、１１および１２に示す。本実施形態のコネクタユニット４は、ハウジング４１の内部に完全に隠すことが可能な回転棒体４４、および、ハウジング４１の外部に露出されている押し込み部材４５が設けてられている。押し込み部材４５のハウジング４１の内部に位置する一端は、コネクタユニット４のコアユニット４２に当接する。使用者は、ハウジング４１の外部から押し込み部材４５を操作し、押し込み部材４５を介してコアユニット４２を押し込み、コアユニット４２を介して、間接的に回転棒体４４の回転を駆動することができる。
【００１９】
以下、本発明の第１実施形態に基づいて、使用者がコネクタユニットを操作するとき、コネクタユニットの各素子間の作動関係を説明する。図６Ａ〜６Ｄは、使用者がコネクタユニット２のコネクタ２２１ａをハウジング２１の外部に押し出し、コネクタユニット２を電子機器のソケットＪに接続する一連の動作の模式図である。図７Ａ〜７Ｄは、使用者がコネクタユニット２をソケットＪから取り外し、コネクタユニット２の弾性部材２３の働きによって、コネクタ２２１ａが自動的にハウジング２１の内部に収容される一連の動作の模式図である。
【００２０】
図５および図６Ａに示すように、コアユニット２２とコネクタ２２１ａとを収容空間２１２の内部に収容された状態で、ピン部材２４１はスロット２２２ａの内部の係止壁Ａの遠端に固定されている。このとき、図５および図６Ｂに示すように、使用者が回転棒体２４を回して、回転棒体２４を押し出し方向に回すことによって、ピン部材２４１が案内壁Ｂを押し込みながら案内壁Ｂに沿って移動し、コアユニット２２を開口部２１１側に向かって移動させると共に、コネクタ２２１ａをハウジング２１の外部に押し出す。このとき、コアユニット２２によって弾性部材２３に力が加えられ、弾性部材２３は受けた力により圧縮され付勢力を蓄積する。
【００２１】
図５および図６Ｃに示すように、ピン部材２４１が係止壁Ａに移動されたとき、ピン部材２４１は係止壁Ａによって係止されるため、回転棒体２４を引き込み方向に回すことができない。このとき、コネクタ２２１ａは完全にハウジング２１の外部に露出される。このとき、図５および図６Ｄに示すように、ピン部材２４１は、係止壁Ａによって係止され、スロット２２２ａの一端に固定される。よって、回転棒体２４を引き込み方向に回すことができなくなる。ピン部材２４１はコアユニット２２の後側の端部に安定に当接しながら力を加えることができる。よって、コネクタユニット２をソケットＪに差し込む過程において、コネクタ２２１ａの受ける反力によって、コアユニット２２はハウジング２１の後側の端部に移動することはできない。そのため、使用者は引き続きコネクタユニット２に力を加えることなく、回転棒体２４をわずかに回すことで、素早くコネクタ２２１ａをハウジング２１の外部に押し出すことができ、コネクタ２２１ａをハウジング２１の外部に延ばした状態にしっかり固定することができる。使用者はコネクタユニット２を電子機器のソケットＪに接続することによって、コネクタユニット２と電子機器とのデータ伝送を行うことができる。
【００２２】
コネクタユニットのソケットＪの内部には、ばね板（図示しない）が取り付けられている。ばね板によって、ソケットＪに差し込まれたコネクタ２２１ａを押圧し、接続端子間の接続の信頼性を向上することができる。よって、使用者がコネクタユニット２をソケットＪより取り外すとき、ハウジング２１を引っ張ると、コネクタ２２１ａはソケットＪ内部のばね板に押圧されているため、ハウジング２１はコアユニット２２に対してコアユニット２２の後側の端部に移動すると共に、ハウジング２１が回転棒体２４を駆動し、ピン部材２４１が係止壁Ａに当接する状態を開錠する。すると、ピン部材２４１は、復位壁Ｃに沿って、係止壁Ａと案内壁Ｂとを対応するつなぎ部位を過ぎた場所に移動される。
【００２３】
図５および図７Ｂに示すように、コネクタ２２１ａをソケットＪから抜き出すとき、ピン部材２４１の係止壁Ａに対する係止力が解除されるため、コアユニット２２は弾性部材２３の付勢力によって、自動的にハウジング２１の後側の端部に移動し、ピン部材２４１を案内壁Ｂに当接させる。このとき、図５および図７Ｃに示すように、ピン部材２４１が、係止壁Ａの係止を受けられないため、コアユニット２２の後側の端部の押し込みによって、案内壁Ｂに沿ってスロット２２２ａ内部の係止壁Ａの一端に移動すると共に、回転棒体２４を駆動して引き込み方向に回転させる。
【００２４】
図５および図７Ｄに示すように、コアユニット２２とコネクタ２２１ａとが完全にハウジング２１の内部に引き込まれたとき、ピン部材２４１が再びスロット２２２ａの内部の係止壁Ａの遠端に固定される。本明細書において、係止壁Ａと案内壁Ｂと復位壁Ｃとの間のつながりに関わる説明は、ピン部材２４１が係止壁Ａ、案内壁Ｂまたは復位壁Ｃ三者のいずれかに沿って移動することを言い、いずれかの一端に移動したとき、ピン部材２４１は他の両者のうちの一端に案内される。一例として、第１実施形態では、案内壁Ｂの一端と係止壁Ａの一端とが直接つながっている。また、係止壁Ａの他端と復位壁Ｃの一端とは直接につながっている。さらに復位壁Ｃの他端と案内壁Ｂの他端とは直接に接続されていないが、ピン部材２４１は復位壁Ｃの一端から他端まで移動した後、係止壁Ａから離脱して案内壁Ｂにより案内される。よって、ここで、「つながり」または「つながる」という用語は、両者が物理的に「直接につながっている」という関係のみではなく、両者の間に他の部材を介して「間接につながっている」という関係も意味している。
【００２５】
図７Ａに示すように、本実施形態では、使用者は、回転棒体２４をわずかに回すことで、コネクタ２２１ａを完全にハウジング２１の外側に露出した状態に固定することができ、コネクタユニット２に力を加えることなく、コネクタユニット２をソケットＪに差し込み端子同士を接続させることができる。一方、ソケットＪからコネクタ２２１ａに力が加えられているため、コネクタユニット２をソケットＪから抜き出すとき、ピン部材２４１は係止壁Ａ（図５に示す）に係止される状態から解放される。このとき、弾性部材２３はコアユニット２２を押し込み、コネクタ２２１ａはハウジング２１の内部に自動に引き込まれ、使用の利便性を大幅に向上することができる。
【００２６】
本発明の第３実施形態における各素子間の作動関係を説明する。図１２に示すように、第３実施形態において、スロット４２２ａは、係止壁Ａ１、案内壁Ｂ１、および復位壁Ｃ１によって構成される。そのうち、スロット４２２ａは、係止壁Ａ１、案内壁Ｂ１、復位壁Ｃ１に対応する底面は互い接続された３つの斜面構造であり、各斜面の接続場所に段差が形成されている。一例として、案内壁Ｂ１に対応する斜面は、案内壁Ｂ１と復位壁Ｃ１とが接続する端部が低く形成され、案内壁Ｂ１と係止壁Ａ１とが接続する端部が高く形成されている。案内壁Ｂ１と係止壁Ａ１とを接続する端部には高低の段差が形成されているため、案内壁Ｂ１の斜面は係止壁Ａ１の斜面より高く形成されている。一方、係止壁Ａ１に対応する斜面は係止壁Ａ１と案内壁Ｂ１とがつながる端部から、係止壁Ａ１と復位壁Ｃ１とがつながる端部に向かって、隆起している。
【００２７】
図９および図１２に示すように、コアユニット４２およびコネクタ４２１ａが収容空間４１２の内部に収容された状態において、ピン部材４４１は案内壁Ｂ１と復位壁Ｃ１とが接続されている一端に固定されている。使用者がハウジング４１の外部から押し込み部材４５を押し込めば、コアユニット４２が押し込まれ、コネクタ４２１ａがハウジング４１前側の開口部４１１よりハウジング４１の外部に露出する。このとき、ピン部材４４１は、案内壁Ｂ１お押しながら、案内壁Ｂ１に沿って移動する。スロット４２２ａの案内壁Ｂ１に対応する底面は斜面を形成しており、ピン部材４４１が移動するとき、斜面に沿って、案内壁Ｂ１の一端から他端まで移動される。
【００２８】
図１０および図１２に示すように、コネクタ４２１ａがハウジング４１の外部まで完全に押し出されたとき、ピン部材４４１は、案内壁Ｂ１と係止壁Ａ１とをつながる端部まで移動し、この位置の高低段差を乗り越えて、係止壁Ａ１に移動される。ピン部材４４１は、段差によって係止され、案内壁Ｂ１に対応する斜面に戻ることができない。また、ピン部材４４１が係止壁Ａ１によって係止された状態とあり、コネクタユニット４の内部の弾性部材４３がコアユニット４２に加える作用力は、コアユニット４２をハウジング４１の後側の端部に押し込むことはなく、コネクタ４２１ａがハウジング４１の外部に露出された状態が保持する。図１１および図１２に示すように、使用者がコネクタユニット４をソケットＪから抜き出すとき、ハウジング４１は、コアユニット４２に対して、コアユニット４２の後側の端部に移動する。ハウジング４１は回転棒体４４を駆動し、ピン部材４４１は係止壁Ａ１に沿って係止壁Ａ１と復位壁Ｃ１とがつながる端部へ移動し、復位壁Ｃ１に対応する斜面を乗り越える。コネクタ４２１ａをソケットＪから引き抜いたとき、ピン部材４４１は復位壁Ｃ１に沿って復位壁Ｃ１と案内壁Ｂ１とをつながる端部に移動し、段差を乗り越えて、案内壁Ｂ１に対応する斜面に戻される。
【００２９】
（第４実施形態）
本発明の第４実施形態を図１３、１４に示す。図１３および図１４に示すように、本実施形態では、コネクタユニット５のハウジング５１にスロット５１１が設けられている。スロット５１１は、係止壁Ａ２、案内壁Ｂ２、および復位壁Ｃ２によって構成される。コネクタユニット５のコアユニット５２の後側の端部には回転棒体５４が回転可能に設けられている。回転棒体５４に設けられているピン部材５４１は移動自在であり、スロット５１１の内部に嵌め込むことができる。コネクタユニット５はハウジング５１の表面に露出されている押し込み部材５５を有する。使用者は、ハウジング５１の外部から押し込み部材５５を押し込むと、コアユニット５２が押し込まれることによって、コアユニット５２が回転棒体５４を駆動し、スロット５１１の内部でピン部材５４１を移動させる。
【００３０】
ここで特に説明したいことは、スロット５１１をコアユニット５２の後側の端部（第１実施形態参照）またはハウジング５１内部の後側の端部に設けるかにかかわらず、コアユニット５２のコネクタ５２１ａをハウジング５１の内部に収容する状態において、スロット５１１は回転棒体５４の回転可能に接続された端部に位置する。スロット５１１と回転棒体５４との回転可能に接続された端部はハウジング５１の内部の左右両側に収容されている。ピン部材５４１は、移動自在にスロット５１１の内部に嵌め込むことができる。
【００３１】
コアユニット５２は弾性部材５３によって、ハウジング５１の後側の端部に押し込まれる。コネクタ５２１ａがハウジング５１の内部に完全に収容されたとき、回転棒体５４の回転可能な接続端とピン部材５４１とはそれぞれハウジング５１の両側に対応し、回転棒体５４が横方向にハウジング５１の内部に収容されることができる。このため、ハウジング５１内部の需要スペースを大幅に低減することができ、コネクタユニット５を小型化にすることができる。また、コネクタ５２１ａの移動スペース（例えば、１２ミリメートル）を確保することができる。また、部品点数を低減することができ、製品の生産効率を向上し、累積誤差を低減することで故障発生率を大幅に低減することができる。
【００３２】
本発明は、上述した実施形態に限定されるものではなく、発明の趣旨を逸脱しない範囲で種々の形態で実施可能である。
【符号の説明】
【００３３】
２、３、４、５・・・コネクタユニット、
２１、３１、４１、５１・・・ハウジング、
２１ａ・・・上部ハウジング、
２１ｂ・・・下部ハウジング、
２１１、３１１、４１１・・・開口部、
２１２、４１２・・・収容空間、
２１３・・・枢接棒、
２２、３２、４２、５２・・・コアユニット、
２２１・・・電気回路板、
２２１ａ、３２１ａ、４２１ａ、５２１ａ・・・コネクタ、
２２２・・・パレット、
２２２ａ、４２２ａ、５１１・・・スロット、
２３、３３、４３、５３・・・弾性部材、
２４、３４、４４、５４・・・回転棒体、
２４１、４４１、５４１・・・ピン部材、
２４２・・・枢接穴、
４５、５５・・・押し込み部材、
Ａ、Ａ１、Ａ２・・・係止壁、
Ｂ、Ｂ１、Ｂ２・・・案内壁、
Ｃ、Ｃ１、Ｃ２・・・復位壁、
Ｊ・・・ソケット。
【図１】
0005551756.tif 000002
【図２】
0005551756.tif 000003
【図３】
0005551756.tif 000004
【図４】
0005551756.tif 000005
【図５】
0005551756.tif 000006
【図６Ａ】
0005551756.tif 000007
【図６Ｂ】
0005551756.tif 000008
【図６Ｃ】
0005551756.tif 000009
【図６Ｄ】
0005551756.tif 000010
【図７Ａ】
0005551756.tif 000011
【図７Ｂ】
0005551756.tif 000012
【図７Ｃ】
0005551756.tif 000013
【図７Ｄ】
0005551756.tif 000014
【図８】
0005551756.tif 000015
【図９】
0005551756.tif 000016
【図１０】
0005551756.tif 000017
【図１１】
0005551756.tif 000018
【図１２】
0005551756.tif 000019
【図１３】
0005551756.tif 000020
【図１４】
0005551756.tif 000021